(57)【要約】      （修正有）【課題】二枚のタペストリーを両面から視認でき、タペストリーを容易に交換できる掲示体を提供する。【解決手段】タペストリー掲示体は、幟旗の自立機構と、自立機構の上部ポール４の最上部に冠着して螺止した上部保持具６，８と、自立機構の下部ポール２に嵌装した下部保持具７，９と、クランプと、タペストリー支持軸５１と、よりなる。タペストリー支持軸を上部保持具及び下部保持具に保持し、クランプによりタペストリー支持軸の軸方向の移動を抑止する手段を有する。【選択図】図２
0003168491.tif 000002
【実用新案登録請求の範囲】
【請求項１】
幟旗の自立機構と、前記自立機構の上部ポールの最上部に冠着して螺止した上部保持具と、前記自立機構の下部ポールに嵌装した下部保持具と、クランプと、タペストリー支持軸と、よりなるタペストリー掲示体であって、
前記タペストリー支持軸を前記上部保持具及び下部保持具に保持し、前記クランプにより前記タペストリー支持軸の軸方向の移動を抑止する手段を有することを特徴とするタペストリー掲示体。
【請求項２】
スリーブを有するターントップを備え、前記スリーブを前記上部ポールの最上部に装入してなる上部保持具を具備する請求項１に記載のタペストリー掲示体。
【考案の詳細な説明】
【技術分野】
【０００１】  二枚のタペストリーを背中合わせに保持し、両面から視認出来る掲示体に関する。
【背景技術】
【０００２】    タペストリーは、表面から視認するのが一般的である。裏面は、加工の跡が残り、タペストリーを掲示体として使用することは不適である。そのために、裏面には、加工の跡を布で隠蔽する必要がある。しかしながら、表裏の両面を利用したい場合がある。その時は、二枚のタペストリーを単に背中合わせに貼り付ければよいことが容易に考えつくが、タペストリーを掲示体として使用する時は、タペストリーを掲示期間ごとに簡単に交換出来る仕組みが望まれる。【０００３】  そのような要請に応えるために、両面仕様のバナースタンドの出願を見受ける。図６（ａ）はその一例である。布製及び紙製の掲示物を前後両面に掲示し上下両端部を保持金具で保持し、転倒防止機構を備えた「掲示具」は、本出願人が、意匠登録したものである（特許文献１）。同様の機能を持ったバナースタンドが「展示用スタンド」として特許登録されている（特許文献２）。また、両面仕様のポータブルバナースタンドも市販されている、図６（ｂ）（非特許文献１）。いずれも専用のスタンドを必要としている。
【先行技術文献】
【特許文献】
【０００４】
【特許文献１】意匠登録第１１３７８１５号公報
【特許文献２】特許３５９７４８５号公報
【非特許文献】
【０００５】
【非特許文献１】Ｇｏｏｇｌｅ（登録商標）検索、２０１０．２．１２、エキスバンドメディアスクリーン２アウトドア
【考案の概要】
【考案が解決しようとする課題】
【０００６】    汎用のスタンドを利用して、二枚のタペストリーを両面から視認出来、タペストリーを容易に交換出来る掲示体を提供する。
【課題を解決するための手段】
【０００７】  本考案のタペストリー掲示体は、広く使用されている幟旗の自立機構を有効活用するものであって、
第一の考案は、自立機構の上部ポールの最上部に冠着して螺止した上部保持具と、自立機構の下部ポールに嵌装した下部保持具と、クランプと、タペストリー支持軸と、よりなるタペストリー掲示体であって、
前記タペストリー支持軸を前記上部保持具及び下部保持具に保持し、前記クランプにより前記タペストリー支持軸の軸方向の移動を抑止する手段を有することを特徴とする。【０００８】第二の考案は、上部保持具が、スリーブを有するターントップを備え、前記スリーブを上部ポールの最上部に装入してなるタペストリー掲示体である。
【考案の効果】
【０００９】タペストリー部と保持金具部を上記のように構成するので、広く使用されている幟旗の支柱及び基台よりなる自立機構を活用することが出来る。
【図面の簡単な説明】
【００１０】
【図１】  タペストリー掲示体正面図
【図２】  タペストリー掲示体左側面図
【図３】  （ａ）上部保持具６の平面図  （ｂ）上部保持具６の断面図  （ｃ）下部保持具７の断面図
【図４】  （ａ）上部保持具８の平面図  （ｂ）上部保持具８の断面図  （ｃ）下部保持具９の断面図
【図５】  （ａ）市販のホルダーを利用した上部保持具１０の正面図  （ｂ）（ａ）のＡ−Ａ断面図
【図６】  先行技術例  （ａ）特許文献１の図を略図で示す。（ｂ）非特許文献１の例  側面図を略図で示す。
【考案を実施するための形態】
【００１１】  バナースタンドに二枚のタペストリーを使用することは公知である。本考案は、広く使用されている幟旗の支柱及び基台よりなる自立機構を活用し、両面視認を可能にするために、二枚のタペストリーを保持する機構とその手順を提案するものである。請求項１に係る実施例を、実施例１及び実施例２に記載し、請求項２に係る実施例を、実施例３に記載する。実施例３の技術思想は、実施例１及び実施例２に適用出来ることは云うまでもない。
【００１２】以下、本考案の最良の実施形態を図面に基づき説明する。
本考案に利用される自立機構は、幟旗に広く使用されているものを活用し、出願人が出願した特開２００２−２１５０７３で開示した台座及び支柱を利用することも出来るとしている。図１は、本考案の、タペストリー掲示体の正面図である。図２は、タペストリー掲示体の左側面図である。図１、図２に示すように、上部保持具６、８は、上部ポール４に冠装した上螺止され、下部保持具７，９は、下部ポール２に嵌装される。図３（ａ）、（ｂ）は、上部保持具６のホールド部６１に、タペストリー部５の支持軸５１（以下支持軸５１という）を挿入し、挿入された支持軸５１の軸方向の移動を抑止するために、ホールド部の中央部において、クランプ６４を使用する図である。図３（ｃ）は、下部保持具７のホールド部７１に、タペストリー部５の支持軸５１を挿入し、挿入された支持軸５１の軸方向の移動を抑止するために、ホールド部の中央部において、クランプ７４を使用する図である。図４（ａ）、（ｂ）は、上部保持具８のホールド部８１に、支持軸５１を挿入し、挿入された支持軸５１の軸方向の移動を抑止するために、ホールド部の両端において、クランプ８３を使用する図である。図４（ｃ）は、下部保持具９のホールド部９１に、タペストリー部５の支持軸５１を挿入し、挿入された支持軸５１の軸方向の移動を抑止するために、ホールド部の中央部において、クランプ９３を使用する図である。図５は、上部保持具１０に、市販のホルダー１０１を利用した図である。
【００１３】本考案に記載の物品の寸法は、一例であり、大凡の数値である。上部保持具、下部保持具の大きさは、支持軸の外径によって変わるが、長さ１５ｃｍを標準とし、２本のホールド部は、平行で、軸間隔は支持軸の外径にもよるが、６ｃｍを標準とする。上部保持具、下部保持具のホールド部の内径は、支持軸の外径に等しいか、僅か小さめであり、支持軸は、ホールド部に緩装される。ホールド部のスリットの巾は、支持軸の外径の１／３以下、タペストリーの厚さ以上である。クランプの内径は、支持軸の外径より僅か小さめであり、クランプを支持軸に押し込んだ時緩みのない程度である。クランプの巾は、１５ｍｍ程度であり、クランプの開口角度は、９０度程度である。支持軸は、外径９、１２、１５ｍｍ厚さ０．３ｍｍ程度のパイプを用いる。タペストリーの巾は、４５から９０ｃｍであり、長さは、７０ｃｍから１８０ｃｍが一般的である。材質は、上部保持具、下部保持具、クランプ、支持軸は共にポリプロピレン又はポリスチレンなどが望ましい。
【実施例１】
【００１４】支持軸を保持具に保持する手段と支持軸押さえ手段の第１の実施例を図３を参照しながら述べる。
図３（ａ）は、上部保持具６の平面図を表している。ホールド部６１は、軸方向中央部に間隙６３を備える。間隙６３の巾は、クランプ６４が容易に入る巾である。
図３（ｂ）は、上部保持具６のＡ−Ａ断面図を表している。
ホールド部６１は、下部にスリット６２を有し、そのスリット部６２にタペストリー５２を合わせ、支持軸５１の軸方向中央位置をホールド部６１の中央位置まで挿入する。
間隙６３において、クランプ６４を、開口部６５を押し広げながら図３（ａ）（ｂ）に記載の矢印方向に押し込む。クランプ６４は、支持軸５１を把持し、支持軸５１の軸方向の移動を抑止する。
図３（ｃ）は、下部保持具７の断面図を表している。ホールド部７１は、軸方向中央部に間隙７３（図示していないが、図３（ａ）の６３と同等の位置である）を備える。間隙７３の巾は、クランプ７間隙６３の巾は、クランプ６４が容易に入る巾である。４が容易に入る巾である。
下部保持具７のホールド部７１は、上部にスリット７２を有し、そのスリット部７２にタペストリー５２を合わせ、支持軸５１の軸方向中央位置をホールド部７１の中央位置まで挿入する。
間隙７３において、クランプ７４を、開口部７５を押し広げながら矢印方向に押し込む。
クランプ７４は、支持軸５１を把持し、支持軸５１の軸方向の移動を抑止する。【００１５】上部保持具６は、キャップ６６を有し、キャップ６６は、止めねじ６７を有する。キャップ６６を上部ポール４の最上位に冠着した後止めねじ６７で螺止する（図２）。
下部保持具７は、スリーブ７６を有し、スリーブ７６は、止めねじ７７を有する。スリーブ７６を下部ポール２に嵌装する（図２）。タペストリー５２は、自重により自由に垂下状態にしておくが、タペストリー５２の伸張と、捻れを調整するために中間留め具３で調整したのち止めねじ７７で螺止することも出来る。
【実施例２】
【００１６】支持軸を保持金具に保持する手段と支持軸押さえ手段の第２の実施例を図４を参照しながら述べる。
図４（ａ）は、上部保持具８の平面図を表している。
図４（ｂ）は、上部保持具８のＡ−Ａ断面図を表している。
ホールド部８１は、下部にスリット８２を有し、そのスリット部８２にタペストリー５２を合わせ、支持軸５１の軸方向中央位置をホールド部８１の中央位置まで挿入する。
ホールド部８１の両端において、クランプ８３を、開口部８４を押し広げながら図４（ａ）、（ｂ）に記載の矢印方向に押し込む。
クランプ８３は、支持軸５１を把持し、支持軸５１の軸方向の移動を抑止する。
図４（ｃ）は、下部保持具９の断面図を表している。
ホールド部９１は、上部にスリット９２を有し、そのスリット部９２にタペストリー５２を合わせ、支持軸５１の軸方向中央位置をホールド部９１の中央位置まで挿入する。
ホールド部９１の両端において、クランプ９３を開口部９４を押し広げながら矢印方向に押し込む。
クランプ９３は、支持軸５１を把持し、支持軸５１の軸方向の移動を抑止する。【００１７】上部保持具８は、キャップ８５を有し、キャップ８５は、止めねじ８６を有する。キャップ８５を上部ポール４の最上位に冠着した後止めねじ８６で螺止する（図２）。
下部保持具９は、スリーブ９５を有し、スリーブ９５は、止めねじ９６を有する。スリーブ９５を下部ポール２に嵌装する（図２）。タペストリー５２は、自重により自由に垂下状態にしておくが、タペストリー５２の伸張と、捻れを調整するために中間留め具３で調整したのち止めねじ９６で螺止することも出来る。
【実施例３】
【００１８】支持軸５１を保持金具１０３に保持する手段と支持軸押さえ手段の第３の実施例を図５を参照しながら述べる。
保持金具１０３は、４角の平板で、４隅に凹部１０４を備え、ホルダー１０１の台部１０２を凹部１０４に接着してなる。平板の素材は、ポリプロピレン又はポリスチレンで、厚さは、８〜１０ｍｍ、大きさは、５ｘ８ｃｍ程度である。凹部１０４の深さは、台部１０２の厚さがあれば充分である。凹部１０４の目的は、ホルダー１０１の整列確保のためである。支持軸５１の押さえ手段は、図４で述べた方法と同じである。
この手段は、市販のホルダー１０１を利用して、保持具を作ることが出来るので、経済的効果がある。【００１９】図５（ｂ）は、図５（ａ）のＡ−Ａ断面図であり、上部保持具１０を上部ポール４の最上部に装着した図である。上部保持具１０は、ターントップ１０５を保持金具１０３に装着し、ターントップキャップ１０６で螺止してなる。ターントップ１０５は、ターントップスリーブ１０７を有する。ターントップスリーブ１０７を上部ポール４の最上部に装入する。ターントップ１０５の装着については、図３、図４における上部保持具６、８のキャップ６６、８５に替えて使用することが出来る。上部保持具１０は、ターントップ１０５を利用しているので、上部ポール４の軸回りに回転することが出来る。タペストリー５２が回転可能の機能を有する効果を生ずる。【００２０】下部保持具１１は、スリーブ１０８（図示していない）を保持金具１０３に圧入してなり、スリーブ１０８を下部ポール２に嵌装する（図２）。タペストリー５２は、自重により自由に垂下状態にしておくが、タペストリー５２の伸張と、捻れを調整するために中間留め具３で調整したのち螺止することも出来る。
【符号の説明】
【００２１】１  基台
２  下部ポール
３  中間留め具
４  上部ポール
５  タペストリー部
５１  支持軸
５２  タペストリー
６、８、１０  上部保持具
７、９、１１  下部保持具
６１、７１、８１、９１  ホールド部
６２、７２、８２、９２  スリット
６３、７３  隙間
６４、７４、８３、９３  クランプ
６５、７５、８４、９４  クランプ開口部
６６、８５  キャップ
７６、９５、１０８  スリーブ
６７、７７、８６、９６  押さえネジ
１０１  ホルダー
１０２  台部
１０３  保持金具
１０４  凹部
１０５  ターントップ
１０６  ターントップキャップ
１０７  ターントップスリーブ
【図１】
0003168491.tif 000003
【図２】
0003168491.tif 000004
【図３】
0003168491.tif 000005
【図４】
0003168491.tif 000006
【図５】
0003168491.tif 000007
【図６】
0003168491.tif 000008